(57)【要約】      （修正有）【課題】ＬＥＤ群からなる照明部が両端のベースキャップに対して着脱自在とし、ＬＥＤ自体の交換ができる蛍光灯型ＬＥＤ照明灯を提供する。【解決手段】照明部２がベースキャップ３に対してその両端の口金６において着脱自在に内嵌接合され、ＬＥＤ４ａの端子ピンであるアノード端子とカソード端子に接続される電気回路の各リード線がそれぞれ口金６の中心部６ａと周面部６ｂとに接続され、該中心部６ａと周面部６ｂはそれぞれベースキャップ３の外面に突設される一方の電極端子３ｂに連接される中心電極接点３ｄと他方の電極端子３ｃに連接される周面電極接点３ｅとに電気的に接続される。また、ＬＥＤ４ａのアノード端子とカソード端子は、支持基板５上の配線パターン８に接合される各ソケット端子１０から支持基板５に貫通する一対の嵌合孔にそれぞれ着脱自在に嵌合される。【選択図】図１
0003148176.tif 000002
【実用新案登録請求の範囲】
【請求項１】
透明または半透明な円筒管と、該円筒管の両端に接合され、それぞれ蛍光灯器具のソケット部に嵌合する一対の電極端子が横向きに突設されてなる横向き有底円筒状のベースキャップと、前記円筒管に内蔵される支持基板と、該支持基板に配設される多数個のＬＥＤからなるＬＥＤ群と、該ＬＥＤ群と前記電極端子間に配設される電気回路とから成る蛍光灯型ＬＥＤ照明灯において、
前記支持基板の両端にそれぞれ口金が接合され、各口金の中心部と該中心部に対して絶縁状に形成される周面部との何れか一方に各ＬＥＤのアノード端子を電気制御手段を介して接続し、他方に各ＬＥＤのカソード端子を電気制御手段を介して接続した照明部を形成して成り、前記各ベースキャップの内部には、前記電極端子の一方に連接して前記口金の中心部に接触する中心電極接点と、他方の電極端子に連接して該口金の周面部に接触する周面電極接点とを配設し、円筒部には係合手段を配設して成り、前記円筒管の両端にはそれぞれベースキャップの係合手段に係合する係合手段が配設されて成り、該ベースキャップに対して着脱自在に接合される円筒管に内蔵された前記照明部が、該ベースキャップの内部に着脱自在に接合されて通電されることを特徴とする蛍光灯型ＬＥＤ照明灯。
【請求項２】
前記照明部において、ＬＥＤ群の各ＬＥＤの端子ピンが、前記支持基板と該支持基板に配設される電気回路の配線パターンに接合されるソケット端子とに貫通される嵌合孔に、着脱自在に接合されて成る請求項１記載の蛍光灯型ＬＥＤ照明灯。
【考案の詳細な説明】
【技術分野】
【０００１】  本考案は、既設の蛍光灯器具にそのまま使用できるＬＥＤ（発光ダイオード）を用いた蛍光灯型照明灯に関する。
【背景技術】
【０００２】  従来の蛍光灯をＬＥＤに切り替える照明技術は、特許第３９２９８８５号（特許文献１）や特許第４０３７８５７号（特許文献２）に提案されているが、特許文献１に開示された技術は、ベースキャップ６，７をガラス管２の端部に圧入する構造であるため、ガラス管２の内部のプリント基板３に配列されたＬＥＤ１０が劣化したり、損傷した場合は、その交換ができないものであり、また、特許文献２に開示された技術は、ＬＥＤ照明管１０と端子Ａ１，Ａ２及び反対面の端子Ｂ１，Ｂ２が一体であるため、この技術もＬＥＤが劣化したり、損傷した場合に、その交換ができないものである。
【特許文献１】特許第３９２９８８５号
【特許文献２】特許第４０３７８５７号
【考案の開示】
【考案が解決しようとする課題】
【０００３】  本考案は、蛍光灯型ＬＥＤ照明灯において、ＬＥＤ群からなる照明部が両端のベースキャップに対して着脱自在とし、ＬＥＤが劣化したり、損傷を受けたときは、照明部の交換及び／又はＬＥＤ自体の交換ができる蛍光灯型ＬＥＤ照明灯の提供をその目的とする。
【課題を解決するための手段】
【０００４】  本考案の請求項１に記載した蛍光灯型ＬＥＤ照明灯は、透明または半透明な円筒管と、該円筒管の両端に接合され、それぞれ蛍光灯器具のソケット部に嵌合する一対の電極端子が横向きに突設されてなる横向き有底円筒状のベースキャップと、前記円筒管に内蔵される支持基板と、該支持基板に配設される多数個のＬＥＤからなるＬＥＤ群と、該ＬＥＤ群と前記電極端子間に配設される電気回路とから成る蛍光灯型ＬＥＤ照明灯において、
前記支持基板の両端にそれぞれ口金が接合され、各口金の中心部と該中心部に対して絶縁状に形成される周面部との何れか一方に各ＬＥＤのアノード端子を電気制御手段を介して接続し、他方に各ＬＥＤのカソード端子を電気制御手段を介して接続した照明部を形成して成り、前記各ベースキャップの内部には、前記電極端子の一方に連接して前記口金の中心部に接触する中心電極接点と、他方の電極端子に連接して該口金の周面部に接触する周面電極接点とを配設し、円筒部には係合手段を配設して成り、前記円筒管の両端にはそれぞれベースキャップの係合手段に係合する係合手段が配設されて成り、該ベースキャップに対して着脱自在に接合される円筒管に内蔵された前記照明部が、該ベースキャップの内部に着脱自在に接合されて通電される。
また、請求項２に記載した考案は、請求項１に記載した蛍光灯型ＬＥＤ照明灯の前記照明部において、ＬＥＤ群の各ＬＥＤの端子ピンが、前記支持基板と該支持基板に配設される電気回路の配線パターンに接合されるソケット端子とに貫通される嵌合孔に、着脱自在に接合されて成る。
【考案の効果】
【０００５】  以上のように、本考案の請求項１に記載した蛍光灯型ＬＥＤ照明灯によれば、ＬＥＤ群が配設された照明部が、ベースキャップと着脱自在であり、かつ、ベースキャップと円筒管も着脱自在であるから、円筒管の内部から簡単に照明部が取り出され、その交換ができることは勿論のこと、請求項２に記載した考案では、ＬＥＤ自体の交換も容易であり、ユーザーの利便に資するものである上、製造上の量産化の達成や該量産化と併せて照明部の多様化に低コストで対応できるなどの効果がある。
【考案を実施するための最良の形態】
【０００６】  本考案におけるベースキャップの円筒部に配設する係合手段とは、その外周面に設ける雄ネジからなるものや、差込み突起などであり、円筒管に配設される係合手段とは、前記雄ネジに螺合する雌ネジや、前記差込み突起を案内する軸心方向の凹溝と該凹溝に連通して周方向に設ける位置決め用の凹溝などである。また、ＬＥＤの端子ピンに接合される嵌合孔、特にソケット端子の嵌合孔に弾性付勢部を設けて確実に嵌合させ、通電上支障のないようにすることも考慮される。このほか、ベースキャップを円筒管の外周に外嵌接合することもでき、その場合のベースキャップと円筒管との螺合形態は、円筒管の外周に雄ネジが螺設され、ベースキャップの円筒部の内周に雌ネジが螺設される。
【実施例】
【０００７】  本考案を一実施例により説明すると、図１に示すように、合成樹脂製の透明または半透明の円筒管１に内蔵される照明部２は、該円筒管１の両端に着脱自在に螺着される絶縁材からなる横向き有底円筒状のベースキャップ３を取り外せば、簡単に取り出されるものである。
すなわち、照明部２は図３に示すように、多数個のＬＥＤ（発光ダイオード）４ａからなるＬＥＤ群４が配設される支持基板５の両端に口金６が一体に接合され、各口金６の中心部６ａにＬＥＤ群４の各ＬＥＤ４ａの端子ピンである一方のアノード端子７に接続される配線パターン８と電気制御手段とによる電気回路（図外）のリード線が接続され、該中心部６ａと絶縁状に形成される周面部６ｂに各ＬＥＤ４ａの端子ピンである他方のカソード端子９に接続される配線パターン８と電気制御手段を有する電気回路（図外）のリード線が接続されて成る。そして、両口金６，６に電気的に接合される各ベースキャップ３は、円筒部の外周面に円筒管１との係合手段としての雄ネジ３ａが螺設され、内部にはその外面で横向きに突設される一対の電極端子３ｂ，３ｃの一方の電極端子３ｂに連接して口金６の中心部６ａに接続される中心電極接点３ｄと、他方の電極端子３ｃに連接して口金６の周面部６ｂに接続される周面電極接点３ｅとを配設して成り、円筒管１の両端にはベースキャップ３との係合手段である雌ネジ１ａが内設されて成る。
本考案は上記構成であるから、円筒管１の両端に着脱自在に接合されるベースキャップ３は、正確に照明部２の口金６にその両電極接点３ｄ，３ｅを接触させなければならないから、照明部２の全長（両口金６の中心部６ａの突端間の長さ）に対する円筒管１の長さや、ベースキャップ３の雄ネジ３ａの下端から中心電極接点３ｄの取付け内面までの寸法及び中心電極接点３ｄの撓み代、さらには、口金６の周面部６ｂと周面電極接点３ｅの密着性を確保すべく、該周面部６ｂとベースキャップ３の内周面との嵌合度や周面電極接点３ｅの配設形状及び弾発変形度などが適正に選択されるものである。【０００８】  このようにして成る蛍光灯型ＬＥＤ照明灯Ａは、既設の蛍光灯器具のソケット部（図外）に、ベースキャップ３の両電極端子３ｂ，３ｃが差し込まれて使用されるものである。
そして、使用時のＬＥＤ４ａに劣化や損傷が生じたり、照明部２に不具合が生じた場合は、何れか一方のベースキャップ３を円筒管１から外せば、図３に示す照明部２を取り出すことができるから、照明部２自体を交換したり、ＬＥＤ４ａ自体を交換できるものである。
すなわち、ＬＥＤ４ａと支持基板５との接合に関して説明すると、図２に示すように、各ＬＥＤ４ａのアノード端子７とカソード端子９に電気的に接続される配線パターン８が支持基板５に配設され、該配線パターン８に接合される各ソケット端子１０と支持基板５とに貫設される一対の嵌合孔１１にそれぞれアノード端子７とカソード端子９が着脱自在に嵌合されるものである。【０００９】  このように、円筒管１の両端に接合される両ベースキャップ３に挟持される状態で照明部２が該円筒管１に内蔵されるものであるから、色光や輝度の異なる各種多様の照明部２が独立した製造工程で量産できる上、円筒管１とベースキャップ３は照明部２との接合工程を要することなく、単独の製造工程で量産できるため、製造コストが大幅に削減されるとともに、照明部２の不具合や、ＬＥＤ４ａの劣化、損傷に対しては、照明部２単位やＬＥＤ４ａ単位でユーザーにサービスできるものであり、従来にない蛍光灯型ＬＥＤ照明灯として、照明器具業界の活性化に大いに貢献できるものである。
なお、本考案は、点灯するための電気制御に関しては、従来から提案されている全ての形態を対象とするものであり、特定の点灯方式や電気回路に限定されるものでないことを付言する。
【産業上の利用可能性】
【００１０】  本考案は、既設の蛍光灯器具のソケット部に装着されるベースキャップに対して、円筒管が着脱自在である上、該円筒管に内蔵される照明部もベースキャップの内部に着脱自在であるから、照明器具業界における量産製造上で極めて実益がある上、照明具の不具合やＬＥＤの劣化、損傷においても、照明具単位やＬＥＤ単位でユーザーに提供できるから、いわゆる球切れにも簡単に対応できるなどで、その需要が大いに期待され得るものである。
【図面の簡単な説明】
【００１１】
【図１】本考案に係る蛍光灯型ＬＥＤ照明灯Ａの要部を示す縦断面図。
【図２】図１のＡ−Ａ矢視断面図。
【図３】円筒管１に内蔵される照明部２の説明図。
【符号の説明】
【００１２】１  円筒管
１ａ  雌ネジ
２  照明部
３  ベースキャップ
３ａ  雄ネジ
３ｂ  電極端子
３ｃ  電極端子
３ｄ  中心電極接点
３ｅ  周面電極接点
４  ＬＥＤ群
４ａ  ＬＥＤ
５  支持基板
６  口金
６ａ  中心部
６ｂ  周面部
７  アノード端子
８  配線パターン
９  カソード端子
１０  ソケット端子
１１  嵌合孔
Ａ  蛍光灯型ＬＥＤ照明灯
【図１】
0003148176.tif 000003
【図２】
0003148176.tif 000004
【図３】
0003148176.tif 000005